(57)【要約】      （修正有）【課題】組立時やリフィル交換時にリフィルのセット性が良く、煩わしさを感じず、生産性の良いノック式筆記具を提供する。【解決手段】軸筒１内に回転子の回転、並びに、前後動によって出没するリフィルが配置された出没式筆記具であって、軸筒の内面に周状のリブによる区画壁を設け、その区画壁の後方に回転子を配置すると共に、区画壁にリフィルが貫通する貫通孔を設け、その貫通孔の前端に前端側から後端に向けて縮径となるテーパー部を設け、一方、回転子にはリフィルが挿着されるリフィル挿入孔を設け、そのリフィル挿入孔の前方部に先端から後方に向けて縮径となるテーパー部を設けた。【選択図】図１
2020062891.tif 000002
【特許請求の範囲】
【請求項１】
軸筒内に回転子の回転、並びに、前後動によって出没するリフィルが配置された出没式筆記具であって、前記軸筒の内面に周状のリブによる区画壁を設け、その区画壁の後方に前記回転子を配置すると共に、前記区画壁にリフィルが貫通する貫通孔を設け、その貫通孔の前端に前端側から後端に向けて縮径となるテーパー部を設け、一方、前記回転子には前記リフィルが挿着されるリフィル挿入孔を設け、そのリフィル挿入孔の前方部に先端から後方に向けて縮径となるテーパー部を設け、前記区画壁に設けた貫通孔の内径をＤとし、回転子に設けたリフィル挿入孔の先端部の内径をＥとし、また、前記リフィルの半径をＦとし、さらに、貫通孔の内径と回転子の外径との隙間をＧとし、回転子の前端部における厚さをＨとしたとき、Ｄ−Ｅ＜Ｆ、且つ、Ｇ＋Ｈ＜Ｆである出没式筆記具。
【請求項２】
前記リフィルの没入時において、回転子の先端部を区画壁の領域内に位置させた請求項１に記載の出没式筆記具。
【請求項３】
前記軸筒を前軸と後軸とから構成すると共に、それら前軸と後軸とを着脱可能に結合させた請求項１又は請求項２に記載の出没式筆記具。
【発明の詳細な説明】
【技術分野】
【０００１】
本発明は、軸筒内に芯体を配置すると共にノック部品を押圧することでペン先を出没するノック式ボールペンにおける、その芯体のセット性に関するものである。
【背景技術】
【０００２】
１例として、押棒カムの押圧力を受けて軸筒内壁に形成したカム面と係脱する回転カム部材の移動によって筆記部材の筆端部が軸筒開口部から出没するノック式筆記具において、回転カム部材に形成した中空部内に筆端部とインキ貯蔵部を設けてなる筆記部材を圧入嵌着または、ねじ嵌着などの手動で着脱可能に固定的に取付けるとともに、回転カム部材の段部と軸筒後方段部との間に弾発部材を掛着したことを特徴とするノック式筆記具が知られている。
【特許文献１】実願平１‐１７７３０号公報
【発明の開示】
【発明が解決しようとする課題】
【０００３】
ところで、上記の従来技術の組み立てにあっては、軸筒を先金、前軸、後軸に分割し、前軸後軸間に弾発部材を設け、その後、前軸後軸を接合し、リフィルをセットし、先金を螺合する工程が想定される。さらに、使用者はリフィル交換の際に先金部を取り外し、リフィル交換を行うので、弾発部材を無くすことがなくなるのである。しかし、この組立時、リフィル交換時には軸筒の細径部にリフィルを通す際や、回転子へのリフィルの挿入の際、リフィル端面が回転カムに設けた段部や、軸筒内部の細径部の端面に引っ掛かり、煩わしさを感じるとともに、生産性を低下させていた。
【課題を解決するための手段】
【０００４】
そこで、軸筒内に回転子の回転、並びに、前後動によって出没するリフィルが配置された出没式筆記具であって、前記軸筒の内面に周状のリブによる区画壁を設け、その区画壁の後方に前記回転子を配置すると共に、前記区画壁にリフィルが貫通する貫通孔を設け、その貫通孔の前端に前端側から後端に向けて縮径となるテーパー部を設け、一方、前記回転子には前記リフィルが挿着されるリフィル挿入孔を設け、そのリフィル挿入孔の前方部に先端から後方に向けて縮径となるテーパー部を設け、前記区画壁に設けた貫通孔の内径をＤとし、回転子に設けたリフィル挿入孔の先端部の内径をＥとし、また、前記リフィルの半径をＦとし、さらに、貫通孔の内径と回転子の外径との隙間をＧとし、回転子の前端部における厚さをＨとしたとき、Ｄ−Ｅ＜Ｆ、且つ、Ｇ＋Ｈ＜Ｆである出没式筆記具を第1の要旨とし、前記リフィルの没入時において、回転子の先端部を区画壁の領域内に位置させたことを第２の要旨とし、前記軸筒を前軸と後軸とから構成すると共に、それら前軸と後軸とを着脱可能に結合させたことを第３の要旨とする。
【発明の効果】
【０００５】
本発明は、軸筒内に回転子の回転、並びに、前後動によって出没するリフィルが配置された出没式筆記具であって、前記軸筒の内面に周状のリブによる区画壁を設け、その区画壁の後方に前記回転子を配置すると共に、前記区画壁にリフィルが貫通する貫通孔を設け、その貫通孔の前端に前端側から後端に向けて縮径となるテーパー部を設け、一方、前記回転子には前記リフィルが挿着されるリフィル挿入孔を設け、そのリフィル挿入孔の前方部に先端から後方に向けて縮径となるテーパー部を設け、前記区画壁に設けた貫通孔の内径をＤとし、回転子に設けたリフィル挿入孔の先端部の内径をＥとし、また、前記リフィルの半径をＦとし、さらに、貫通孔の内径と回転子の外径との隙間をＧとし、回転子の前端部における厚さをＨとしたとき、Ｄ−Ｅ＜Ｆ、且つ、Ｇ＋Ｈ＜Ｆである出没式筆記具を第1の要旨としているので、リフィル挿入時に回転子先端にリフィルパイプの先端が接触したとしても、少しの振動で挿入孔へ誘導され、組立時やリフィル交換時にリフィルのセット性が良く、煩わしさを感じず、生産性の良いノック式筆記具を提供することができる。
【０００６】
さらに、前記リフィルの没入時において、回転子の先端部を区画壁の領域内に位置させたことを第２の要旨としているので、より回転子の芯出しがされ、リフィルセット性が良くなると共に、ノック作動時に回転子先端が区画壁に衝突するという作動不良も抑制される。
【０００７】
また、前記軸筒を前軸と後軸とから構成すると共に、それら前軸と後軸とを着脱可能に結合させたことを第３の要旨としているので、前軸を外し、リフィルを後軸先端から挿入する筆記具においては、リフィル交換時の煩わしさを極力少なくすることができる。
【図面の簡単な説明】
【０００８】
【図１】本発明の構成を示す正面図
【図２】図１のＡ−Ａ断面図
【図３】図1のペン先出状態を表したＡ−Ａ断面図
【図４】図２のＢ部拡大図
【図５】後軸の正面図
【図６】図５のＣ−Ｃ断面図
【図７】後軸のガタ防止リブを表す断面図
【図８】ノックの正面図
【図９】回転子の正面図
【図１０】図９のＤ−Ｄ断面図
【図１１】別形状の回転子の正面図
【図１２】図１１のＥ−Ｅ断面図
【図１３】前軸の正面図
【図１４】図１３のＦ−Ｆ断面図
【図１５】グリップ部を被覆した前軸側面図
【図１６】頭冠正面図
【図１７】頭冠断面図
【図１８】クリップを一体とした頭冠側面図
【図１９】クリップを一体とした頭冠断面図
【図２０】図１８のＧ部拡大図
【図２１】先端開閉式のクリップの閉状時の側面図
【図２２】先端開閉式のクリップの開状時の側面図
【図２３】リフィルセット時の断面図
【図２４】リフィルセット時の断面図
【図２５】リフィルセット時の断面図
【図２６】リフィル後端が回転子先端に乗った状態の段面図
【図２７】リフィルパイプが軸内テーパー部に案内される断面図
【図２８】図２６のＨ部拡大図
【図２９】本発明の別の形態を表す正面図
【図３０】図２８のＩ−Ｉ断面図
【図３１】図２８のペン先出状態を表したＡ−Ａ断面図
【図３２】クリップが一体の頭冠を取付けた形態を表す正面図
【発明を実施するための最良の形態】
【０００９】
作用について説明する。軸をペン先４ｂが上向きとなる状態とし、リフィル4を後軸３先端から挿入した際、自由落下により、リフィル4が区画壁１ａに設けた貫通孔１ｂを通り、次いで回転子５のリフィル挿入孔５ａへ挿入される。この際、多少の組み立てのブレにより、リフィル4の軸芯と軸の軸芯がずれた際、リフィル4の後端部は後軸内壁へと接触してしまう。しかし、前記貫通孔１ｂ前端に設けた、前端側から後端に向けて縮径となる軸内テーパー部１Ｃによって、リフィル4は貫通孔１ｂ内へと案内され、次いで、前記回転子５のリフィル挿入孔５ａの前方部に先端から後方に向けて縮径となるように設けた回転子テーパー部５ｂによってスムーズに回転子５のリフィル挿入孔５ａへと案内される。この際、区画壁１ａに設けた貫通孔１ｂの内径をＤとし、回転子５に設けたリフィル挿入孔５ａの先端部の内径をＥとし、また、前記リフィル4の半径をＦとしたとき、Ｄ−Ｅ＜Ｆとすることで、仮に回転子５の先端部にリフィル4の後端部が接触してしまっても、少しの振動で回転子５の回転子テーパー部５ｂに落ち込み、リフィル挿入孔５ａへと案内される。併せて、貫通孔１ｂの内径と回転子５の外径との隙間をＧとし、回転子５の前端部における厚さをＨとしたとき、Ｇ＋Ｈ＜Ｆとすることで貫通孔１ｂの内径と回転子５の外径との間にリフィル４の後端が入り込むこともなく、より組み立ての信頼性が向上する。さらに、前記回転子５はペン先４ｂが没状態において、回転子５の先端が区画壁１ａに設けた貫通孔１ｂの軸における長手方向の領域内、  即ち、区画壁１ａの幅Ｓの領域内に位置することで、ペン先４ｂの出没作動時に関して区画壁１ａの後端面に回転子５の先端が衝突することなく、スムーズな出没が可能となる。また、前述したリフィル4の後端部が回転子５の先端部に接触し、その接触した状態が維持されてしまうという現象もおきにくくなると同時に、ペン先４ｂが出状態において、区画壁１ａに設けた貫通孔１ｂと回転子５による隙間をなるべく少なくでき、筆記時のリフィル４のたわみ、ガタつきを極力抑えられるのである。なお、前記後軸貫通孔１ｂ前端に設けた軸内テーパー部１Ｃ、並びに回転子５に設けた回転子テーパー部５ｂはそのテーパー面の表面をリフィルパイプが引っ掛かり難い表面粗さ（平均粗さ１．６０μm以下）とする。尚、その表面の最大粗さはＶＫ−８５００（キーエンス社製、ＪＩＳ  Ｂ０６０１  １９９４に準拠）を用いて測定し、５点測定した平均値を使用している。尚、測定には５０倍レンズを使用し、撮影した画像の中央部分を一辺が１０μmの正方形で切り取って測定を行った。
第１例を図１〜図６に示し説明する。軸体内にボールペン体であるリフィル４を配置すると共に、そのボールペン体であるリフィル４を出没可能に配置した、所謂、出没式の筆記具である。比較的硬質な樹脂材質から形成された軸筒の表面には、グリップ部６として、比較的軟質な樹脂材質（軟質部材）が被覆されている。前記軸筒１を形成する比較的硬質な樹脂材質の１例としては、本例においてはポリカーボネートを使用しているが、ポリエチレンテレフタレートやアクリル、アクリロニトリルブタジエンスチレン共重合体（ＡＢＳ）、アクリロニトリルスチレン共重合体（ＡＳ）、ポリプロピレンなどが挙げられる。また、軟質部材を形成する比較的軟質な樹脂材質としては、本例においては熱可塑性エラストマーを使用しているが、軟質アクリルなども挙げられる。前記グリップ部６は本実施例では外面を多角形状としたグリップが被覆されているが、表面に凹凸を設けたグリップや三角形状をしたグリップなど、把持した際に滑りにくいグリップが好ましい。なお、本実施例では前記軸筒１は前軸２と後軸３の二分割で構成し、前軸２の後端に雄ねじ２ａ、後軸３先端に雌ねじ３ａを設け、お互いを螺合させることで一体としているが、圧入嵌合方式でも構わなく、一体として形成し、先金部を外せるようにしても構わない。
前記後軸３の略中央内部には周状のリブによりなる区画壁１ａが設けてあり、その中心にはリフィル4が貫通する貫通孔１ｂが設けてある。前記区画壁１ａの後方には弾発部材７が設けてあり、その弾発部材７の一端が区画壁１ａの後端面に接触している。一方、弾発部材７の他端は回転子５の前端面に接触し、その回転子５は弾発部材７により後方に付勢されている。頭冠８の後端開口部８ａにはノック９が後端を露出するように内挿されており、ノック９の先端には前記回転子５が頭冠８内を前後に摺動するように内挿されている。前記回転子５にはリフィル4が圧入固定されており、リフィル4は回転子５に伴って前後に摺動する。これにより前記ノック９の露出後端部を押圧することでペン先４ｂが出没されるのである。なお、本実施例では前記頭冠８の内面にはカム溝８ｂが形成されており、内挿された回転子５の係止部５ｃとの係止、解除を繰り返すことで、ペン先４ｂの出没状態を維持する回転カム方式をとっているが、その他の出没維持方法を採用しても構わない。
前記前軸２には軟質部材からなるグリップ部６が２色成形により一体的に成形されているが、各々を成形し、後の組立工程により、グリップ部６を前軸２に被覆しても構わない。２色成形により被覆させる際には前軸２とグリップ部６が境界面で融着している状態が好ましく、例えば前軸２にポリカーボネートを使用する時にはグリップ部6にポリエステル系のエラストマーというように御互いの相性が重要である。境界面での融着が不十分な場合、経時による前軸２に対する軟質部材の緩みが発生する可能性がある。融着が不十分な場合や、前軸２、グリップ部６の成形を別々に行った場合、前軸２に対するグリップ部６の緩みを防止するために、前軸２のグリップ被覆部に緩み防止用の縦リブ２ｂを放射状に複数設けることで解決している。しかし、上記前軸２とグリップ部６の材質の関係性は単に緩みの問題だけでなく、近年増えてきている透明調のグリップ部６の美観にも影響する。成形時に境界面で融着がされなかった場合、境界面の流れの末端に空気が溜まってしまい。グリップ部６が透明調の場合に、外観から空気の溜まりが見えてしまい、美観を損ねてしまうおそれがある。前述した緩み防止用の縦リブ２ｂによって、前記空気を二次側表面まで誘導するよう設ければ、その問題も解決が可能である。
【００１０】
前記前軸２の内面先端にはペン先４ｂを中心に位置させるためのリフィル先寄せリブ２ｃが放射状、かつ、等間隔な位置に形成されている。前記リフィル先寄せリブ２ｃの内接円径はリフィルパイプの外径よりも若干大きめに設定し、後部形状は後方に向けて拡径となるように設定することで、ノック９の押圧時に抵抗なくペン先４ｂの出没が可能となる。また、放射状に設けた複数のリフィル先寄せリブ２ｃの内、全てではない少なくとも一本は他のリフィル先寄せリブ２ｃよりも長く形成されている。これは二次側の成形をインサート成形にて行う場合に一次側コアピンから二次側コアピンへと移動させる際の位置決めとして機能させるコアピン位置決めリブ２ｄとするためである。
【００１１】
前記後軸３には内部を軸芯方向前後に分ける周状のリブによる区画壁１ａがある。前記区画壁１ａにはリフィル4が貫通する貫通孔１ｂが空いている。その区画壁１ａは軸の長手方向に幅Ｓを有している。また、前記貫通孔１ｂ前端には軸の前方から後方に向けて縮径となる軸内テーパー部１Ｃを設けている。前記軸内テーパー部１Ｃは本実施例ではリブ状に設けているが、これは成形時に肉厚になることによるヒケを考慮したためであり、一体に周状リブとしても構わない。一体に周状のリブとして設けた場合、リフィル4の径を選ばず安定してリフィル４を回転子５のリフィル挿入孔５ａへと案内することが可能になる。
【００１２】
本実施例のように放射状にリブとして設ける場合はリブとリブの間隔Ｙをリフィル４の直径Ｚよりも大きくしないことが重要である。リブ間Ｙがリフィル4の直径Zよりも大きくなるとそこにリフィル4が引っ掛かり、組立性を悪化させてしまう可能性があるからである。
また、区画壁１ａに設けた貫通孔１ｂの内径をＤとし、回転子５に設けたリフィル挿入孔５ａの先端部の内径をＥとし、また、前記リフィル４の半径をＦとしたとき、Ｄ−Ｅ＜Ｆとすることで、仮に回転子５の先端部にリフィル4の後端部が接触してしまっても、少しの振動で回転子５の回転子テーパー部５ｂに落ち込み、リフィル挿入孔５ａへと案内される。併せて、貫通孔１ｂの内径と回転子５の外径との隙間をＧとし、回転子５の前端部における厚さをＨとしたとき、Ｇ＋Ｈ＜Ｆとすることで貫通孔１ｂの内径と回転子５の外径との間にリフィル４の後端が入り込むこともなく、より組み立ての信頼性が向上する。
さらに、本実施例のように、前記後軸３内面を断面形状多角形の多面体とし、前記放射状のリブを断面形状多角形における辺部に設け、さらに前記した通りリブとリブの間隔Ｙをリフィル4の直径Ｚよりも大きくしないことにより、横向きでの組立時やリフィル4交換時において、初期段階ではリフィル4の後端は断面形状多角形における頂点部によって案内され、さらに前進していくことで、断面形状多角形における辺部に設けたリブに接触後、２つのリブがレール状となることにより、リフィル4の後端が貫通孔１ｂへ安定して案内されるやすくなるのである。
前記区画壁１ａの後端にはスプリング受け面１ｄがあり、常に弾発部材７の荷重を受けている。前記区画壁１ａは本実施例では後軸３内部に一体に設けてあるが、別部品として設けても構わない。前記頭冠８を前記後軸３に挿入固定する際は、後軸３の後端側から頭冠８の先端を挿入し、頭冠８の係合突起８ｃを後軸3の係合孔１ｆに係合させて固定させるが、その際に、一般的には頭冠８の先端を前記後軸３のスプリング受け面１ｄに接触させることでガタを防止する。しかし、全長方向の寸法は成形条件によっても変化が発生し、ガタの発生、もしくは、圧入不足が発生してしまう。そのため、本実施例ではスプリング受け面１ｄと頭冠８先端面との間に成形によるバラつきを考慮できるほどの僅かな空間を設ける。その僅かな空間により発生してしまうガタにはスプリング受け面１ｄから後軸３の内面壁部に設けた、断面略三角形状のガタ防止リブ１ｅに、頭冠８の先端部が接触することで緩和している。前記ガタ防止リブ１ｅの形状は長手方向のガタと軸芯方向に発生するガタと両者を抑えるため、三角形状が最も望ましいが、必ずしも形状にこだわりはなく、若干の圧入関係になっていれば良い。
【００１３】
前記後軸３には頭冠８を係合固定するための係合孔が形成されている。本実施例では頭冠８の外径は略均一に後軸３の後端内径に収まる形状であるが、後軸３の後端面にあわせて径を大きくした大径部を設けた形状でも構わない。その場合、前記ガタ防止リブ１ｅは後軸３ではなく、頭冠８大径部と小径部の鍔部に設けても同じ効果が得られる。前記頭冠８の係合突起８ｃは前方に傾斜面８ｄを設け、途中平行部８ｅとなり、平行部８ｅの後方を係合面８ｆとする。前記係合面８ｆの稜線はエッジとし、少しでも後軸３の係合孔１ｆとの接触面積を増やして頭冠８の抜け強度を向上させ、傾斜面８ｄから平行部８ｅにかけてのその他の稜線に関してはR形状（円弧状）とする。これは、後軸３への頭冠８の係合時、一時的に圧入状態となるが、前記係合突起８ｃにRを設けることで後軸３の内面を傷つけることを抑制でき、割れなどが発生しにくくできるのである。前記割れの抑制としては後軸３の係合孔１ｆの上部にウェルドを発生しにくくさせるため、係合孔１ｆ上部の頭冠案内部１ｇはR形状とし、ウェルドの発生を抑制している。また、前記頭冠８のゲート８ｈは頭冠８の天面から一定距離離れた位置に設けている。これは組立時に後軸３内に潜り、外観上目立たなくなるからである。また、使用者が使用時にゲート跡に触れ不快に感じないためでもある。
前記回転子５には先端から後端に向けて、リフィル挿入孔５ａが設けてあり、リフィル4の後端が入り込み、固定されている。リフィル4の固定方法としては本実施例のような放射状に設けたリフィル圧入リブ５ｄの他に、全周で圧入となるような圧入突起、リフィル挿入孔５ａが後端に向かうほど縮径するようなテーパー状による圧入方法、または、断面形状を異形にし、圧入部を作る方法でも良い。リフィル4は本実施例では前記した通り、回転子５に圧入固定がなされているが、他の製品との汎用性を考慮し、クリンプ４ｃのついたリフィル4も使用が可能である。その際は、リフィル4は回転子５に固定させるのでなく、前軸２内に弾発部材7を配置しリフィル4を後方に付勢し、回転子５はリフィル4の端面を受けるだけにしても構わない。また、インクの量を増やしたパイプ径の大きなリフィル４に関しても、回転子５に固定するのではなく前軸２内に弾発部材7を配置しリフィル４を後方に付勢し、回転子５はリフィルの端面を受けることにより、出没可能に配置することも可能である。また、前記リフィル挿入孔５ａは本実施例では先端から後端に向けて貫通させているが、これは単に筆記時にリフィル４内のインキの吐出に対して、リフィル4の後端部より、空気交換がなされるために貫通させており、必ずしも貫通している必要はない。
前記頭冠８内部にはその先端側から、ノック９、回転子５がそれぞれ挿入される。ノック９には周壁に先端山状の位置決めリブ９ａが複数設けてあり、頭冠８への挿入時に自重でもその位置決めリブ９ａがカム溝８ｂを通り、スムーズに奥まで入り込むようになっている。組み立て時においては、ノック９ａ挿入後、頭冠８先端から回転子５を挿入する。この際、頭冠８の内壁面先端近傍に回転子抜け防止リブ８gをそのリブ内接円径Aが回転子５の最大径部Xより若干小さめになるように設けてあり、その抜け防止リブ８gを乗り越えて頭冠８内に回転子５を前後移動可能に挿入される。即ち、回転子５の挿入後においては、回転子５は自重では落下しないようになっている。
【００１４】
前記頭冠８内にはその一方の端面を後軸区画壁１ａのスプリング受け部１ｄに接触させ、もう一端を前記回転子５へと接触させた弾発部材７が内挿されており、使用者のノック９の押圧に対して、弾発力を発生し、ノック９と頭冠８内のカム溝８ｂ、及び、回転子５のカム部により回転が生じる。その回転により、回転子５の係止、解除が繰り返され、リフィル４の出没動作が行われるのである。前記弾発部材7はそのリフィル4の出没動作により頭冠８内において、回転子５に押されることでその全長が伸縮する。回転子５の回転方向はそのカム部と頭冠８のカム溝８ｂの方向により決定されるが、前期弾発部材7であるスプリングの巻き方向は前記回転子５の回転方向と逆巻きが望ましい。これは回転子５が回転する際にスプリングの巻き終わり部などが引っ掛かり、作動不良が起き難いからである。また、回転子５にはPOM（ポリアセタール）等の潤滑性の良い樹脂により成形するが、場合によってシリコン等の潤滑剤を予め塗布しておくと尚作動が向上される。前記弾発部材7であるスプリングの外径は前記頭冠８の回転子抜け防止リブ８gより小さくし、作動時に影響の出ないものとする。前記スプリングは頭冠８内に全体が挿入されているため、頭冠８を不透明の樹脂で成形すれば、スプリングは外観からは見えない。また、後軸３を透明調で成形することで、後軸３を介して頭冠8が見える為、その色合いの変化を楽しむことが出来る。
【００１５】
頭冠８には第一の実施例では頭冠８の外周部に突設するクリップ支持部１０と、そのクリップ支持部１０に係合するクリップ１１と、そのクリップ１１の後部を前記軸筒の外周面から離間するように付勢するコイルスプリング１２を備え、前記クリップ１１の両側面に突設した側支持板１１ａを前記クリップ支持部１０に被せて前記クリップ１１が回動自在となる支点１０ａを構成し、前記コイルスプリング１２はその支点１０ａよりも後方に配設されると共に、前記クリップ１１の支点１０ａよりも前方が軸筒の外周面に当接するように常に付勢された、先端開閉式のクリップが設けてあるが、単純にクリップ１１を頭冠８に一体に設けた頭冠でも構わない。前記のような先端開閉式のクリップを頭冠８に具備させる際は、そのクリップ玉部１１ｂを2つ設けることで、外周面へのクリップ玉部１１ｂの接触点が2つに増え、クリップ１１が横ブレしにくくなる。
（付記）
軸筒内に回転子の回転、並びに、前後動によって出没するリフィルが配置された出没式筆記具であって、前記軸筒の内面に周状のリブによる区画壁を設け、その区画壁の後方に前記回転子を配置すると共に、前記区画壁にリフィルが貫通する貫通孔を設け、その貫通孔の前端に前端側から後端に向けて縮径となるテーパー部を設け、一方、前記回転子には前記リフィルが挿着されるリフィル挿入孔を設け、そのリフィル挿入孔の前方部に先端から後方に向けて縮径となるテーパー部を設けたことを第1の付記とし、前記区画壁に設けた貫通孔の内径をＤとし、回転子に設けたリフィル挿入孔の先端部の内径をＥとし、また、前記リフィルの半径をＦとし、さらに、貫通孔の内径と回転子の外径との隙間をＧとし、回転子の前端部における厚さをＨとしたとき、Ｄ−Ｅ＜Ｆ、且つ、Ｇ＋Ｈ＜Ｆであることを第２の付記とし、前記リフィルの没入時において、回転子の先端部を区画壁の領域内に位置させたことを第３の付記とし、前記軸筒を前軸と後軸とから構成すると共に、それら前軸と後軸とを着脱可能に結合させたことを第４の付記とする。
【００１６】
以上の（付記）によれば、軸筒内に回転子の回転、並びに、前後動によって出没するリフィルが配置された出没式筆記具であって、前記軸筒の内面に周状のリブによる区画壁を設け、その区画壁の後方に前記回転子を配置すると共に、前記区画壁にリフィルが貫通する貫通孔を設け、その貫通孔の前端に前端側から後端に向けて縮径となるテーパー部を設け、一方、前記回転子には前記リフィルが挿着されるリフィル挿入孔を設け、そのリフィル挿入孔の前方部に先端から後方に向けて縮径となるテーパー部を設けたことを第1の付記としているので、組立時やリフィル交換時にリフィルのセット性が良く、煩わしさを感じず、生産性の良いノック式筆記具を提供することができる。
【００１７】
また、前記区画壁に設けた貫通孔の内径をＤとし、回転子に設けたリフィル挿入孔の先端部の内径をＥとし、また、前記リフィルの半径をＦとし、さらに、貫通孔の内径と回転子の外径との隙間をＧとし、回転子の前端部における厚さをＨとしたとき、Ｄ−Ｅ＜Ｆ、且つ、Ｇ＋Ｈ＜Ｆであることを第２の付記としているので、リフィル挿入時に回転子先端にリフィルパイプの先端が接触したとしても、少しの振動で挿入孔へ誘導される。
【００１８】
さらに、前記リフィルの没入時において、回転子の先端部を区画壁の領域内に位置させることを第３の付記としているので、より回転子の芯出しがされ、リフィルセット性が良くなると共に、ノック作動時に回転子先端が区画壁に衝突するという作動不良も抑制される。
【００１９】
また、前記軸筒を前軸と後軸とから構成すると共に、それら前軸と後軸とを着脱可能に結合させたことを第４の付記としているので、前軸を外し、リフィルを後軸先端から挿入する筆記具においては、リフィル交換時の煩わしさを極力少なくすることができる。
【符号の説明】
【００２０】
１      軸筒
１ａ      区画壁
１ｂ      貫通孔
１ｃ      軸内テーパー部
１ｄ      スプリング受け面
１ｅ      ガタ防止リブ
１ｆ      係合孔
１ｇ      頭冠案内部
２      前軸
２ａ      雄ねじ部
２ｂ      縦リブ
２ｃ      リフィル先寄せリブ
２ｄ      コアピン位置決めリブ
３      後軸
３ａ      雌ねじ部
４      リフィル
４ａ      リフィルパイプ
４ｂ      ペン先
４ｃ      クリンプ
５      回転子
５ａ      リフィル挿入孔
５ｂ      回転子テーパー部
５ｃ      係止部
５ｄ      リフィル圧入リブ
６      グリップ部
７      弾発部材
８      頭冠
８ａ      後端開口部
８ｂ      カム溝
８ｃ      係合突起
８ｄ      傾斜面
８ｅ      平行部
８ｆ      係合面
８ｇ      抜け防止リブ
８ｈ      頭冠ゲート
９      ノック
９ａ      位置決めリブ
１０      クリップ支持部
１０ａ      支点
１１      クリップ
１１ａ      支持板
１１ｂ      玉部
１２      コイルスプリング
【図１】
2020062891.tif 000003
【図２】
2020062891.tif 000004
【図３】
2020062891.tif 000005
【図４】
2020062891.tif 000006
【図５】
2020062891.tif 000007
【図６】
2020062891.tif 000008
【図７】
2020062891.tif 000009
【図８】
2020062891.tif 000010
【図９】
2020062891.tif 000011
【図１０】
2020062891.tif 000012
【図１１】
2020062891.tif 000013
【図１２】
2020062891.tif 000014
【図１３】
2020062891.tif 000015
【図１４】
2020062891.tif 000016
【図１５】
2020062891.tif 000017
【図１６】
2020062891.tif 000018
【図１７】
2020062891.tif 000019
【図１８】
2020062891.tif 000020
【図１９】
2020062891.tif 000021
【図２０】
2020062891.tif 000022
【図２１】
2020062891.tif 000023
【図２２】
2020062891.tif 000024
【図２３】
2020062891.tif 000025
【図２４】
2020062891.tif 000026
【図２５】
2020062891.tif 000027
【図２６】
2020062891.tif 000028
【図２７】
2020062891.tif 000029
【図２８】
2020062891.tif 000030
【図２９】
2020062891.tif 000031
【図３０】
2020062891.tif 000032
【図３１】
2020062891.tif 000033
【図３２】
2020062891.tif 000034